(57)【要約】【課題】アドレス設定時に、１回の送信で確実にアドレス設定ができ、複数の増設モニタ親機のボタンを同時に押した時に、毎回異なるランダムな待ち時間を確実に生成し、１回の再送で、データを確実に再送することができるテレビインターホン装置を提供する。【解決手段】電源投入後の増設モニタ親機３００のアドレス設定時に、増設モニタ親機３００は、ＥＥＰＲＯＭ３４３に書き込まれてあるシリアル番号を初期値として、擬似乱数生成部３２１で、疑似乱数を算出し、ＲＡＭ３２２にこの値を保存すると共に、この値から、ランダムな待ち時間を生成する。また、複数の増設モニタ親機３００のボタンを同時に操作した時に、ＲＡＭ３２２の値を入力パラメータとして、擬似乱数生成部３２１で、疑似乱数を算出し、ＲＡＭ３２２にこの値を保存すると共に、この値から、ランダムな待ち時間を生成する。【選択図】図１
2006129345.tif 000002
【特許請求の範囲】
【請求項１】
玄関先に設置される玄関子機と、室内に設置されるモニタ親機とを２線式伝送線路にて接続し、さらに前記モニタ親機と室内に設置される１台以上の増設モニタ親機とを２線式伝送線路にて接続して、前記玄関子機と前記モニタ親機または前記玄関子機と前記増設モニタ親機との通話ができるテレビインターホン装置において、電源投入後の前記増設モニタ親機のアドレス設定時に、前記増設モニタ親機は、不揮発性メモリに書き込まれてある独自の番号を初期値として、疑似乱数を生成し、この値から、ランダムな待ち時間を生成する手段を有することを特徴とするテレビインターホン装置。
【請求項２】
前記独自の番号を前記増設モニタ親機のシリアル番号とした請求項１に記載のテレビインターホン装置。
【請求項３】
前記増設モニタ親機は、前記疑似乱数を生成した際に、揮発性メモリに保存しておき、前記モニタ親機／複数の前記増設モニタ親機のボタンの同時操作時に、複数の前記増設モニタ親機が同時にデータ送信を行い正常なデータ受信が行われなかった場合、揮発性メモリに保存しておいた擬似乱数を入力パラメータとして、前回とは異なる疑似乱数を生成し、毎回異なるランダムな待ち時間を生成する手段を有することを特徴とする請求項１に記載のテレビインターホン装置。
【請求項４】
前記疑似乱数生成と、前記揮発性メモリは、８ビットマイコンを使用することを特徴とする請求項１または請求項２に記載のテレビインターホン装置。
【発明の詳細な説明】
【技術分野】
【０００１】
本発明は、屋外に設置される玄関子機と屋内に設置されるモニタ親機とから成るテレビインターホン装置に関し、特に複数のモニタ親機を増設した場合のアドレス設定に関するものである。
【背景技術】
【０００２】
従来、複数の端末装置とこれらの端末装置のアドレスを管理する端末制御装置からなるネットワークにおいて、各端末装置のアドレスを設定する場合、端末装置がアドレス設定要求信号を出した時、端末制御装置が端末装置のアドレスを決定し、端末装置にこのアドレスを通知することにより、自動的に端末装置のアドレスを設定するようになっている。ところが、このようなアドレス設定方法では、複数の端末装置から同時にアドレス設定要求信号を出した時、信号の衝突が起こり、アドレス設定ができないという問題点があった。
【０００３】
そこで、前記端末装置に、複数の端末装置から同時にアドレス設定要求信号が出力されたことを検出するアドレス要求重複検出部を付加し、複数の端末装置から同時にアドレス設定要求信号が出力された場合に、各端末装置では、アドレス要求重複検出部によりアドレス設定要求信号の衝突を検出し、各端末装置毎にランダムに設定された所定時間の後に再度アドレス設定要求信号を出力し、端末制御装置では、前記アドレス設定要求信号を受けて、アドレス設定要求信号を出力した端末装置にアドレス番号を通知するようにしている。（例えば、特許文献１参照。）
また、テレビインターホン装置においては、図２のように、端末制御装置をモニタ親機２００とし、端末装置を増設モニタ親機３００として、親機間の通信を行っている。
増設モニタ親機３００は、複数台接続できるので、電源ＯＮ後、各増設モニタ親機３００のアドレス設定を行うが、テレビインターホン装置においては、設置後に、ブレーカー等でシステム全体の電源を同時にＯＮすることが多い為、複数の端末装置から同時にアドレス設定要求信号が出力されることが想定される。これを防止する為、システムの電源がＯＮされると、発振回路３５０で、０Ｖ〜５Ｖの発振波形を生成し、それをＣＰＵ３２０のＡ／Ｄ変換器３２２に入力することにより、８ビットのランダムな値を取得し、それをもとにして、各増設モニタ親機３００毎にランダムな待ち時間を生成する。
【０００４】
その後、待ち時間が経過したら、アドレス設定要求信号を出力し、モニタ親機２００がこれを受信すると、アドレス設定要求信号を出力した増設モニタ親機３００にアドレス番号を通知するようにしている。また、アドレス設定後も、増設モニタ親機のボタン操作があると、モニタ親機へコマンドを送信するが、複数の増設モニタ親機のボタン操作を同時に行った場合、データの衝突をＣＰＵ３２０で検知し、アドレス設定時と同様に発振回路３５０の発振波形をＡ／Ｄ変換器３２２に入力し、各増設モニタ親機３００毎にランダムな待ち時間を生成し、時間経過後、コマンドを再送するようになっている。
【特許文献１】特開平７−３８５８２号公報
【発明の開示】
【発明が解決しようとする課題】
【０００５】
しかしながら、従来の特許文献１のような構成では、各端末装置毎に待ち時間をランダムに設定する必要があり、複数の同じ端末装置を接続して同時に電源をＯＮした場合、各端末装置毎に異なるパラメータがないと、待ち時間が同じになり、何回アドレス設定要求信号を再送しても、正常なデータ受信が行われず、アドレス設定ができない問題点があった。
【０００６】
また、図２のようなテレビインターホン装置においても、発振回路の発振波形をＡ／Ｄ変換して、待ち時間を生成する為、タイミングによっては、複数の増設モニタ親機で、同じ待ち時間になる可能性があり、また、再送時においても、他の増設モニタ親機と同じ待ち時間になってしまう問題点があった。
【０００７】
本発明は、前記従来の課題を解決するもので、アドレス設定時に、各増設モニタ親機で１回の送信で正常にアドレス設定をおこなうことができ、また、コマンド送信時に正常なデータ受信が行われなかった場合、毎回異なるランダムな待ち時間を確実に生成し、１回の再送で、データを確実に再送することができるテレビインターホン装置を提供することを目的とする。
【課題を解決するための手段】
【０００８】
前記従来の課題を解決するために、本発明のテレビインターホン装置は、玄関先に設置される玄関子機と、室内に設置されるモニタ親機とを２線式伝送線路にて接続し、さらに前記モニタ親機と室内に設置される１台以上の増設モニタ親機とを２線式伝送線路にて接続して、前記玄関子機と前記モニタ親機または前記玄関子機と前記増設モニタ親機との通話ができるテレビインターホン装置において、電源投入後の前記増設モニタ親機のアドレス設定時に、前記増設モニタ親機は、不揮発性メモリに書き込まれてある独自の番号を初期値として、疑似乱数を生成し、この値から、ランダムな待ち時間を生成する手段を有することを特徴としたものである。
また、前記テレビインターホン装置において、前記独自の番号を前記増設モニタ親機のシリアル番号としたことを特徴としたものである。
【０００９】
また、前記増設モニタ親機は、前記疑似乱数を生成した際に、揮発性メモリに保存しておき、前記モニタ親機／複数の前記増設モニタ親機のボタンの同時操作時に、複数の前記増設モニタ親機が同時にデータ送信を行い正常なデータ受信が行われなかった場合、揮発性メモリに保存しておいた擬似乱数を入力パラメータとして、前回とは異なる疑似乱数を生成し、毎回異なるランダムな待ち時間を生成する手段を有することを特徴としたものである。
【００１０】
また、前記テレビインターホン装置において、前記疑似乱数生成と、前記揮発性メモリは、８ビットマイコンを使用することを特徴としたものである。
【発明の効果】
【００１１】
本発明のテレビインターホン装置によれば、前記増設モニタ親機のアドレス設定時に、ランダムな待ち時間を確実に生成することができ、１回の送信で、正常にアドレス設定を行うことができる。また、モニタ親機／複数の増設モニタ親機のボタンの同時操作時に正常なデータ受信が行われなかった場合、毎回異なるランダムな待ち時間を確実に生成し、１回の再送で、データを確実に再送することができる。
【発明を実施するための最良の形態】
【００１２】
以下に、本発明のテレビインターホン装置の実施の形態を図面とともに詳細に説明する。
【実施例１】
【００１３】
図１は、本発明の第１の実施例におけるテレビインターホン装置のブロック図を示す。
図１において、玄関先に設置された玄関子機１００と、室内に設置されたモニタ親機２００は、２線式伝送線路４００によって接続されており、また、前記モニタ親機２００と、前記増設モニタ親機３００は、２線式伝送線路４０１によって接続されている。
【００１４】
前記モニタ親機２００には、玄関子機の映像、音声を多重化する多重化回路２０１、増設モニタ親機への映像、音声、データを多重化する多重化回路２１０、システムの制御を行うＣＰＵ２２０、増設モニタ親機へデータを送信する送信回路２３１、増設モニタ親機からのデータを受信する受信回路２３２、玄関子機１００の映像などを出力する映像表示部２４０などを備えている。前記映像表示部２４０は、映像を表示するＬＣＤパネル２４１とＬＣＤパネルを駆動するＬＣＤドライバ２４２，製造工程で、前記ＬＣＤドライバの個々のバラツキを電子的に調整し、その調整値を保存する為の不揮発性メモリであるＥＥＰＲＯＭ２４３などから構成されている。
【００１５】
前記増設モニタ親機３００には、前記モニタ親機からの映像、音声、データを多重化する多重化回路３１０、システムの制御を行うＣＰＵ３２０、モニタ親機へデータを送信する送信回路３３１、モニタ親機からのデータを受信する受信回路３３２、玄関子機１００の映像などを出力する映像表示部３４０などを備えている。前記ＣＰＵは、疑似乱数生成部３２１を備える。前記映像表示部３４０は、映像を表示するＬＣＤパネル３４１とＬＣＤパネルを駆動するＬＣＤドライバ３４２，前記ＬＣＤドライバのデジタルボリュームの調整値などを保存するＥＥＰＲＯＭ３４３などから構成されている。前記ＥＥＰＲＯＭ３４３には、製造工程で、モニタ親機のＬＣＤパネルの個々のバラツキを電子的に調整し、その調整値を保存するが、ここに各増設モニタ親機毎に異なる独自の番号（たとえばシリアル番号）を保存しておくので、余分なコストを追加する必要はない。
【００１６】
また、図２は、本発明の第１の実施例におけるテレビインターホン装置の通信シーケンスチャートである。図２において、モニタ親機のＣＰＵの通信ポートをＭで表し、増設モニタ親機のＣＰＵの通信ポートをＳ１〜Ｓ２で表す。システムの電源をＯＮすると、Ｓ１〜Ｓ２は、それぞれ、あらかじめＥＥＰＲＯＭ３４３に保存されているシリアル番号を入力パラメータとして、疑似乱数生成部３２１において、擬似乱数を生成し、ＲＡＭ３２２に値を保存する。この値をもとに、ランダムな待ち時間Ｔ１１〜Ｔ２１を算出し、最も短い待ち時間Ｔ１１を算出したＳ１が、待ち時間Ｔ１１経過後、２線式伝送線路４０１に他の機器がデータを送信していないことを受信回路３２２で確認（キャリアセンス）した後、「アドレス設定要求」コマンドと端末ＩＤ（Ｔ１１）をＭに送信する。この端末ＩＤは、どの増設モニタ親機が「アドレス設定要求」コマンドを送信してきたかを他の増設モニタ親機と区別する為である。Ｍは、アドレステーブル２２１を参照し、空きアドレスＳ１を選択し、「アドレス通知（Ｓ１）」と端末ＩＤ（Ｔ１１）をＳ１に返信することで、Ｓ１にアドレス番号「１」を通知する。これを受信したＳ１は、Ｍに正常受信を示す「ＡＣＫ」を返信することで、Ｓ１のアドレス設定は終了する。
【００１７】
次に短い待ち時間Ｔ２１を算出したＳ２が、同様に「アドレス設定要求」コマンドと端末ＩＤ（Ｔ２１）をＭに送信する。Ｍは、アドレステーブル２２１を参照し、空きアドレスＳ２を選択し、「アドレス通知（Ｓ２）」と端末ＩＤ（Ｔ２１）をＳ２に返信することで、Ｓ２にアドレス番号「２」を通知する。これを受信したＳ２は、Ｍに「ＡＣＫ」を返信することで、Ｓ２のアドレス設定は終了する。図３では、増設モニタ親機が２台になっているが、３台以上の場合も、同様のシーケンスで、アドレス設定が実現できる。増設モニタ親機のＥＥＰＲＯＭ３４３に保存されているシリアル番号は、全て異なるので、同時にシステムの電源をＯＮした場合も、待ち時間は、全て異なり、各増設モニタ親機は、キャリアセンスをしてから、データを送信するので、同時にデータ送信を行うことはなく、各増設モニタ親機のアドレス設定は、１回で終了することができる。
【実施例２】
【００１８】
図３は、本発明の第２の実施例におけるテレビインターホン装置の通信シーケンスチャートである。図３において、モニタ親機のＣＰＵの通信ポートをＭで表し、増設モニタ親機のＣＰＵの通信ポートをＳ１〜Ｓ２で表す。また、すべての増設モニタ親機のアドレス設定が終了した後、図３のように、Ｓ１とＳ２のボタンを同時に押す場合がある。このとき、Ｓ１からのコマンド送信とＳ２からのコマンド送信が同時に行われ、Ｍでは、コマンドの受信ができない。Ｓ１とＳ２は、ＭからのＡＣＫを受信できない為、データの同時送信があったと判断し、ＲＡＭ３２２に保存している擬似乱数を入力パラメータとして、疑似乱数生成部３２１において、擬似乱数を生成し、ＲＡＭ３２２に値を保存する。この値をもとに、ランダムな待ち時間Ｔ１２〜Ｔ２２を算出し、最も短い待ち時間Ｔ２２を算出したＳ２が、待ち時間Ｔ２２経過後、コマンドを再送して、Ｍが「ＡＣＫ」を返信することで、Ｓ１からのボタン操作が有効になる。
【００１９】
また、次に短い待ち時間Ｔ１２を算出したＳ１が、待ち時間Ｔ１２経過後、コマンドを再送して、Ｍが「ＡＣＫ」を返信することで、Ｓ２からのボタン操作が有効になる。この場合、各増設モニタ親機の待ち時間は、前回と必ず異なるので、１回の再送で、確実に各増設モニタ親機を正常に動作させることができる。
【００２０】
以上のように、本実施例２においては、増設モニタ親機が複数台接続されても、毎回異なるランダムな待ち時間を生成することができるので、複数の増設モニタ親機で同時にボタン操作したときに正常にデータ受信が行われなかった場合でも、１回の再送で、データを送信することができる。
【産業上の利用可能性】
【００２１】
本発明にかかるテレビインターホン装置は、システムを同時に電源ＯＮした場合のアドレス設定では、同時にデータ送信を行うことがなく、１回で設定を終了することができ、複数の増設モニタ親機で同時にボタン操作したときに正常なデータ受信が行われなかった場合、１回の再送で、データを確実に再送することができ、屋外に設置される玄関子機と屋内に設置されるモニタ親機と複数台の増設モニタ親機から成るテレビインターホン装置として有用である。
【図面の簡単な説明】
【００２２】
【図１】本発明の実施例１、２におけるテレビインターホン装置のブロック図
【図２】本発明の実施例１におけるテレビインターホン装置の通信シーケンスチャート
【図３】本発明の実施例２におけるテレビインターホン装置の通信シーケンスチャート
【図４】従来例のテレビインターホン装置のブロック図
【符号の説明】
【００２３】
１００  玄関子機
２００  モニタ親機
２０１  玄関子機への映像、音声の多重化回路
２１０  増設モニタ親機への映像、音声、データの多重化回路
２２０  ＣＰＵ
２２１  アドレステーブル
２３１  増設モニタ親機へのデータ送信回路
２３２  増設モニタ親機からのデータ受信回路
２４０  映像表示部
２４１  ＬＣＤパネル
２４２  ＬＣＤドライバ
２４３  ＥＥＰＲＯＭ
３００  増設モニタ親機
３１０  モニタ親機への映像、音声の多重化回路
３２０  ＣＰＵ
３２１  擬似乱数生成部
３２２  ＲＡＭ
３４０  映像表示部
３４１  ＬＣＤパネル
３４２  ＬＣＤドライバ
３４３  ＥＥＰＲＯＭ
３５０  発振回路
４００  ２線式伝送線路（玄関子機〜モニタ親機）
４０１  ２線式伝送線路（モニタ親機〜増設モニタ親機）
【図１】
2006129345.tif 000003
【図２】
2006129345.tif 000004
【図３】
2006129345.tif 000005
【図４】
2006129345.tif 000006